(57)【要約】【課題】プレキャストコンクリート品の立ち上がり部の側面に気泡の痕跡のないきれいな凹凸模様を形成できる凹凸模様付きプレキャストコンクリート品の製造装置、製造方法を提供する。【解決手段】内部の側面に凹凸模様成形部９が設けられた上端開放の型枠容器６と、型枠容器６を、凹凸模様成形部９を側方に向けた直立姿勢状態と、該凹凸模様成形部９を斜め上向きにした傾斜姿勢状態とに、姿勢変更可能に支える型枠容器支持手段１０，１１，１２とが備えられた製造装置５を用い、傾斜姿勢の型枠容器６に上端開口部１３を通じてコンクリート１４を打設し、凹凸模様成形部９の気泡を除去した後、型枠容器６を直立姿勢状態に変更し、型枠容器６内の残部空間にコンクリートを打設して養生硬化させる。【選択図】      図１
2007185817.tif 000002
【特許請求の範囲】
【請求項１】
立ち上がり部の側面に凹凸模様が備えられたプレキャストコンクリート品の製造装置であって、
内部の側面に凹凸模様成形部が設けられ、前記凹凸模様付きプレキャストコンクリート品を成形する上端開放の型枠容器と、
該型枠容器を、凹凸模様成形部を側方に向けた直立姿勢状態と、該凹凸模様成形部を斜め上向きにした傾斜姿勢状態とに、姿勢変更可能に支える型枠容器支持手段と
が備えられていることを特徴とする凹凸模様付きプレキャストコンクリート品の製造装置。
【請求項２】
前記型枠容器は、コンクリート打設前の空の傾斜姿勢状態において、その自重により傾斜姿勢状態を保持するようになされており、該傾斜姿勢状態において型枠容器内にコンクリートを打設していくことにより、コンクリートを含む型枠容器の重心位置が、前記空の傾斜姿勢状態における型枠容器の重心位置から姿勢変更中心部の存在する向きに向けて移動していくようになされている請求項１に記載の凹凸模様付きプレキャストコンクリート品の製造装置。
【請求項３】
立ち上がり部の側面に凹凸模様が備えられたプレキャストコンクリート品の製造方法であって、
請求項１又は２に記載の装置を用い、傾斜姿勢状態の型枠容器にその上端開口部を通じてコンクリートを打設し、凹凸模様成形部の気泡を除去した後、
型枠容器の直立姿勢状態への変更と、容器内のコンクリートの養生硬化とを相前後して行うことを特徴とする凹凸模様付きプレキャストコンクリート品の製造方法。
【発明の詳細な説明】
【技術分野】
【０００１】
本発明は、凹凸模様付きプレキャストコンクリート品の製造装置及び同製造方法に関する。
【背景技術】
【０００２】
例えば、立ち上がり部の屋外側の側面に化粧用の凹凸模様を備えた布基礎を、同凹凸模様付きの複数のプレキャストコンクリート基礎材を用い、これら基礎材を連結して形成していくような場合、各プレキャストコンクリート基礎材の製造は、従来、図４（イ−１）に示すように、基礎立ち上がり部成形部分５２を下、フーチング部成形部分５３を上とし、基礎立ち上がり部成形部分５２の側面に凹凸模様成形部５６が設けられた上端開放の型枠容器５１を用い、該型枠容器５１の内部に、図４（イ−２）に示すように、コンクリート５４を打設し、コンクリート５４中に巻き込まれた空気がコンクリートの表面に気泡となって残るのを防ぐため、該空気をバイブレーター５５などで除去し、コンクリート５４を養生硬化させ、図４（イ−３）に示すように脱型するというようにして行われている。
【発明の開示】
【発明が解決しようとする課題】
【０００３】
しかしながら、上記のような方法では、凹凸模様成形部５６が型枠容器５１内で側方を向いているため、気泡が凹凸模様成形部５６に引っ掛かってしまい、そのため、バイブレーター５５で振動を与えても、気泡は凹凸模様成形部５６から除去されずに残ってしまいやすく、得られたプレキャストコンクリート基礎材の凹凸模様部に気泡の痕跡を残してしまいやすいという問題があった。
【０００４】
そこで、図４（ロ）に示すように、立ち上がり部成形部分５２とフーチング部成形部分５３を左右方向に向けて凹凸模様成形部５６を上向きにした型枠５７を用い、型枠５７内にコンクリート５４を打設する方法も考えられる。
【０００５】
しかしながら、この方法では、コンクリート５４の打設後のコテ押さえを、立ち上がり部のもう一方の側面等に対して行うことになってしまい、立ち上がり部の仕上がり状態を悪くしてしまう場合がある。
【０００６】
本発明は、上記のような問題点に鑑み、プレキャストコンクリート品の立ち上がり部の側面に気泡の痕跡のないきれいな凹凸模様を形成することができ、しかも、全体として仕上がり状態の良いプレキャストコンクリート品を製造することができる、凹凸模様付きプレキャストコンクリート品の製造装置及び同製造方法を提供することを課題とする。
【課題を解決するための手段】
【０００７】
上記の課題は、立ち上がり部の側面に凹凸模様が備えられたプレキャストコンクリート品の製造装置であって、
内部の側面に凹凸模様成形部が設けられ、前記凹凸模様付きプレキャストコンクリート品を成形する上端開放の型枠容器と、
該型枠容器を、凹凸模様成形部を側方に向けた直立姿勢状態と、該凹凸模様成形部を斜め上向きにした傾斜姿勢状態とに、姿勢変更可能に支える型枠容器支持手段と
が備えられていることを特徴とする凹凸模様付きプレキャストコンクリート品の製造装置によって解決される（第１発明）。
【０００８】
また、立ち上がり部の側面に凹凸模様が備えられたプレキャストコンクリート品の製造方法であって、
第１発明の装置を用い、傾斜姿勢状態の型枠容器にその上端開口部を通じてコンクリートを打設し、凹凸模様成形部の気泡を除去した後、
型枠容器の直立姿勢状態への変更と、容器内のコンクリートの養生硬化とを相前後して行うことを特徴とする凹凸模様付きプレキャストコンクリート品の製造方法によって解決される（第２発明）。
【０００９】
第１、第２の発明では、第１発明の製造装置の型枠容器を傾斜姿勢状態にしてその上端開口部を通じてコンクリートを打設することにより、気泡は凹凸模様成形部から離れてコンクリート中を上昇しやすく、また、バイブレーター等を用いれば、気泡は凹凸模様成形部から確実に離れて上昇していくことができ、プレキャストコンクリート品の立ち上がり部の側面に気泡の痕跡のないきれいな凹凸模様を形成することができる。
【００１０】
しかも、型枠容器内のコンクリートに対するコテ押さえも、型枠容器の上端開口部に面する部分に対してのみ行えばよく、全体として仕上がり状態の良いプレキャストコンクリート品を製造することができる。
【００１１】
加えて、凹凸模様成形部を斜め上向きにした傾斜姿勢状態でコンクリートの打設を行うことができるので、型枠容器を水平姿勢状態から直立姿勢状態に戻す場合に比べて比較的容易に直立姿勢状態に戻すことができ、また、上端に開口部を有する型枠容器で有りながら、型枠容器内へのコンクリートの流し込みも容易に行うことができる。
【００１２】
特に、第１発明の製造装置や、第２発明方法に用いる製造装置において、型枠容器は、コンクリート打設前の空の傾斜姿勢状態において、その自重により傾斜姿勢状態を保持するようになされており、該傾斜姿勢状態において型枠容器内にコンクリートを打設していくことにより、コンクリートを含む型枠容器の重心位置が、前記空の傾斜姿勢状態における型枠容器の重心位置から姿勢変更中心部の存在する向きに向けて移動していくようになされているとよい。
【００１３】
この場合は、コンクリート打設前の型枠容器を傾斜姿勢状態に容易に保つことができると共に、コンクリートの打設による上記のような重心移動によって、型枠容器を傾斜姿勢状態から直立姿勢状態に容易に戻すことができる。
【発明の効果】
【００１４】
本発明は、以上のとおりのものであるから、プレキャストコンクリート品の立ち上がり部の側面に気泡の痕跡のないきれいな凹凸模様を形成することができ、しかも、全体として仕上がり状態の良いプレキャストコンクリート品を製造することができる。
【発明を実施するための最良の形態】
【００１５】
次に、本発明の実施最良形態を図面に基づいて説明する。
【００１６】
本実施形態では、図１（ロ）に示すように、フーチング部２と立ち上がり部３とを有し、立ち上がり部３の一方の側面に化粧用の凹凸模様４が備えられた布基礎用のプレキャストコンクリート品１を製造の対象とする。
【００１７】
図１（イ）は、該プレキャストコンクリート品１を製造するための装置５を示し、６は型枠容器で、該型枠容器６は、立ち上がり部成形部分７を下、フーチング部成形部分８を上とし、立ち上がり部成形部分７の側面に凹凸模様成形部９が設けられた上端開放のものからなっており、該型枠容器６は、型枠容器支持手段によって、仮想線で示すように、凹凸模様成形部９を側方に向けた直立姿勢状態と、実践で示すように、該凹凸模様成形部９を斜め上向きにした傾斜姿勢状態とに、姿勢変更可能に支えられている。
【００１８】
具体的には、本実施形態における型枠容器支持手段は、ベース１０と、型枠容器６をベース１０の上方所定高さ位置で直立姿勢状態と傾斜姿勢状態とに姿勢変更させるように回転可能に支持する姿勢変更中心部としての回転軸１１と、ベース１０に立設され、傾斜姿勢状態において型枠容器６の上端側を支承する立ち上がり支承部１２とを備えており、型枠容器６は、傾斜姿勢状態において、重心位置Ｇ１が回転軸１１の位置よりも向かって右側に位置し、その自重により傾斜方向に回転しようとするが、その回転を立ち上がり支承部１２が下から支えて阻止するように働いて、型枠容器６の傾斜姿勢状態が保持されるようになされている。
【００１９】
上記のプレキャストコンクリート品１の製造は、次のようにして行う。即ち、図２（イ）に示すように、凹凸模様成形部９を斜め上向きにした傾斜姿勢状態の型枠容器６に対し、その上端開口部１３を通じてコンクリート１４を立ち上がり部成形部分７内に打設し、凹凸模様成形部９をコンクリート１４中に埋込み状態にする。
【００２０】
すると、気泡は凹凸模様成形部９から離れてコンクリート１４中を上昇していき、また、例えばバイブレーター１５を用いれば、気泡は凹凸模様成形部９から確実に離れて上昇していき、凹凸模様成形部９から気泡が除去される。
【００２１】
また、コンクリート１４を上記のように打設していくことにより、コンクリート１４を含む型枠容器６の重心位置Ｇ２が、空の傾斜姿勢状態における型枠容器６の重心位置Ｇ１から回転軸１１の存在する向きに向けて移動していく。なお、重心位置Ｇ２は、重心位置Ｇ１と回転軸１１の中間位置であってもよいし、回転軸１１と一致していてもよいし、回転軸１１を越えていてもよい。
【００２２】
更に、凹凸模様成形部９を斜め上向きにした傾斜姿勢状態でコンクリート１４の打設を行うので、上端に開口部１３を有する型枠容器６で有りながら、型枠容器６内へのコンクリート１４の打設も支障なく容易に行うことができる。
【００２３】
しかる後、図２（ロ）に示すように、型枠容器６を傾斜姿勢状態から回転させてベース１０に支承させて直立姿勢状態にする。１６はゴムなどからなる緩衝材である。凹凸模様成形部９を斜め上向きにした傾斜姿勢状態でコンクリート１４の打設を行うので、型枠容器６を水平姿勢状態から直立姿勢状態に戻す場合に比べて比較的容易に直立姿勢状態に戻すことができる。
【００２４】
特に、上記のように、コンクリート１４を含む型枠容器６の重心位置Ｇ２が、空の傾斜姿勢状態における型枠容器６の重心位置Ｇ１から回転軸１１の存在する向きに向けて移動しているから、型枠容器６を容易に姿勢変更させることができる。
【００２５】
具体的には、重心位置Ｇ２が、重心位置Ｇ１と回転軸１１の中間位置である場合には、直立姿勢状態に向けた姿勢変更力を小さくすることができるし、回転軸１１と一致していている場合は、型枠容器６をわずかな力で直立姿勢状態にすることができるし、回転軸１１を越えている場合には、直立姿勢状態に向けた姿勢変更力は必要なく、自重により直立姿勢状態に戻ろうとするので、その自重を利用して直立姿勢状態にすることができる。
【００２６】
そして、直立姿勢状態にした型枠容器６に対し、図３（イ）に示すように、型枠容器６内の残部空間にコンクリートを打設し、フーチング部底面に対応するコンクリート１４の上面に対してコテ押さえをし、容器６内のコンクリートを養生硬化させ、図３（ロ）に矢印で示すように脱型すれば、プレキャストコンクリート品１が得られる。
【００２７】
こうして得られたプレキャストコンクリート品１の立ち上がり部３の側面には、気泡の痕跡のないきれいな凹凸模様４が形成されている。しかも、型枠容器６内のコンクリートに対するコテ押さえも、型枠容器６の上端開口部１３に面する部分、即ち、上記のようにフーチング部の底面部に対してのみ行えばよく、全体として仕上がり状態の良いプレキャストコンクリート品を製造することができる。
【００２８】
以上に、本発明の実施形態を示したが、本発明はこれに限られるものではなく、発明思想を逸脱しない範囲で各種の変更が可能である。例えば、本発明における凹凸模様は、化粧に限らず、種々の目的で形成される凹凸模様であってよいし、また、製造するプレキャストコンクリート品は、その他のコンクリート基礎材であってもよいし、コンクリート基礎材以外の各種プレキャストコンクリート品であってよい。
【００２９】
更に、上記の実施形態では、型枠容器の姿勢を回転変位によって変更する場合を示したが、その他の動作によって姿勢変更を行うようになされていてもよい。また、上記の実施形態では、型枠容器を直立姿勢状態に戻してからコンクリートの養生硬化を行う場合を示しているが、コンクリートを養生硬化させたのち、型枠容器を直立姿勢状態に戻すようにしてもよい。
【図面の簡単な説明】
【００３０】
【図１】図（イ）は実施形態の製造装置を示す断面正面図、図（ロ）は製造対象である布基礎用プレキャストコンクリート品の斜視図である。
【図２】図（イ）及び図（ロ）は、図３（ハ）（ニ）と共に実施形態の製造方法を順次に示す製造装置の断面正面図である。
【図３】図（ハ）及び図（ニ）は、図２（イ）（ロ）と共に実施形態の製造方法を順次に示す製造装置の断面正面図である。
【図４】図（イ−１）〜図（イ−３）は従来の製造方法を示す型枠容器の断面正面図、図（ロ）は従来の他の製造方法を示す型枠の断面正面図である。
【符号の説明】
【００３１】
１…プレキャストコンクリート品
３…立ち上がり部
４…凹凸模様
５…製造装置
６…型枠容器
９…凹凸模様成形部
１０…ベース（型枠容器支持手段）
１１…回転軸（姿勢変更中心部；型枠容器支持手段）
１２…立ち上がり支承部（型枠容器支持手段）
１３…上端開口部
１４…コンクリート
【図１】
2007185817.tif 000003
【図２】
2007185817.tif 000004
【図３】
2007185817.tif 000005
【図４】
2007185817.tif 000006